【手続補正書】
【提出日】平成19年4月12日(2007.4.12)
【手続補正１】
【補正対象書類名】明細書
【補正対象項目名】特許請求の範囲
【補正方法】変更
【補正の内容】
【特許請求の範囲】
【請求項１】  各々が判定可能な持続時間を持つ少なくとも１つのクリップを有する映像シーケンスを編集する方法であって、
前記各クリップに関連し、対応する前記持続時間に関する時間データを少なくとも含む特性データを前記映像シーケンスから抽出する工程と、
複数の予め決められたセグメント持続時間に基づいて複数の編集済みセグメントを形成するように構成された予め決められたカットフォーマットを少なくとも有する編集規則の少なくとも１つのテンプレートに従って前記特性データを処理し、編集命令データを形成する工程と、
前記編集命令データに従って前記映像シーケンスを処理し、前記編集済みセグメントの編集済みシーケンスを形成する工程とを有することを特徴とする方法。
【請求項２】  各々が判定可能な持続時間を持つ少なくとも１つのクリップを有する映像シーケンスを編集する方法をコンピュータに実行させるためのプログラムを記録したコンピュータ読み取り可能な記録媒体であって、前記方法は、
前記各クリップに関連し、対応する前記持続時間に関する時間データを少なくとも含む特性データを前記映像シーケンスから抽出する工程と、
複数の予め決められたセグメント持続時間に基づいて複数の編集済みセグメントを形成するように構成された予め決められたカットフォーマットを少なくとも有する編集規則の少なくとも１つのテンプレートに従って前記特性データを処理し、編集命令データを形成する工程と、
前記編集命令データに従って前記映像シーケンスを処理し、前記編集済みセグメントの編集済みシーケンスを形成する工程とを有することを特徴とする記録媒体。
【請求項３】  視覚映像編集システムであって、
各々が判定可能な持続時間を持つ少なくとも１つのクリップを有する映像シーケンスを提供する供給手段と、
前記各クリップに関連し、対応する前記持続時間に関する時間データを少なくとも含む特性データを前記映像シーケンスから抽出する抽出手段と、
複数の予め決められたセグメント持続時間に基づいて複数の編集済みセグメントを形成するように構成された予め決められたカットフォーマットを少なくとも有する編集規則の少なくとも１つのテンプレートに従って前記特性データを処理し、編集命令データを形成する処理手段と、
前記編集命令データに従って前記映像シーケンスを編集し、前記編集済みセグメントの編集済みシーケンスを形成する編集手段と、
前記編集済みシーケンスを受信する出力手段とを有することを特徴とする視覚画像編集システム。
【請求項４】  複数の個々のクリップと、前記クリップが記録された実時間に関する時間データを少なくとも含む関連データとを有する映像シーケンスを編集する方法であって、
各クリップに対する前記時間データを検査し、予め決められた時間関数で関連付け可能である前記クリップそれぞれを識別し、前記関連付け可能なクリップを対応するクリップのグループに配列する工程と、
前記各クリップのグループの始まりと終わりの少なくとも１つをタイトルの場所として識別する工程と、
少なくとも１つのタイトルの場所で、対応する時間データと更なるデータの少なくとも１つを検査し、少なくともテキスト成分を含む挿入タイトルを生成する工程と、
前記タイトルの場所で前記挿入タイトルを前記映像シーケンスの中に組み込む工程とを有することを特徴とする方法。
【請求項５】  複数の個々のクリップと、前記クリップが記録された実時間に関する時間データを少なくとも含む関連データとを有する映像シーケンスを編集する方法をコンピュータに実行させるためのプログラムを記録したコンピュータ読み取り可能な記録媒体であって、前記方法は、
各クリップに対する前記時間データを検査し、予め決められた時間関数で関連付け可能である前記クリップそれぞれを識別し、前記関連付け可能なクリップを対応するクリップのグループに配列する工程と、
前記各クリップのグループの始まりと終わりの少なくとも１つをタイトルの場所として識別する工程と、
少なくとも１つのタイトルの場所で、対応する時間データと更なるデータの少なくとも１つを検査し、少なくともテキスト成分を含む挿入タイトルを生成する工程と、
前記タイトルの場所で前記挿入タイトルを前記映像シーケンスの中に組み込む工程とを有することを特徴とする記録媒体。
【請求項６】  複数の個別のクリップと、前記クリップが記録された実時間に関する時間データを少なくとも含む関連データとを有する映像シーケンスを編集するシステムであって、
各クリップに対する前記時間データを検査し、予め決められた時間関数で関連付け可能である前記クリップそれぞれを識別し、前記関連付け可能なクリップを対応するクリップのグループに配列する関連付け手段と、
前記各クリップのグループの始まりと終わりの少なくとも１つをタイトルの場所として識別する識別手段と、
少なくとも１つのタイトルの場所で、対応する時間データと更なるデータの少なくとも１つを検査し、少なくともテキスト成分を含む挿入タイトルを生成する検査手段と、
前記タイトルの場所で前記挿入タイトルを前記映像シーケンスの中に組み込む編集手段とを有することを特徴とするシステム。
【請求項７】  複数の映像クリップからなる映像情報と前記複数の映像クリップの持続時間情報を含む付加情報とからなる映像シーケンスを編集する方法であって、
編集テンプレートに従って前記持続時間情報を処理する時間情報処理工程と、
前記時間情報処理工程における処理結果に基づいて前記映像情報の一部を削除し、第１の継続時間及び第１の継続時間とは異なる第２の継続時間を有する複数の映像セグメントからなる編集済シーケンスを得る編集工程とを有することを特徴とする方法。
【請求項８】  複数の映像クリップからなる映像情報と前記複数の映像クリップの記録時間情報を含む付加情報とからなる映像シーケンスを編集する方法であって、
前記時間情報に基づいて前記複数の映像クリップを記録時間が近接した複数の映像クリップからなる複数の映像セグメントに分割する分割工程と、
前記映像セグメントの始まりの部分にタイトル画像情報を挿入するタイトル挿入工程とを有することを特徴とする方法。
【手続補正２】
【補正対象書類名】明細書
【補正対象項目名】００１０
【補正方法】変更
【補正の内容】
【００１０】
【課題を解決するための手段】
本開示の一態様によれば、各々が判定可能な持続時間を持つ少なくとも１つのクリップを有する映像シーケンスを編集する方法であって、前記各クリップに関連し、対応する前記持続時間に関する時間データを少なくとも含む特性データを前記映像シーケンスから抽出する工程と、複数の予め決められたセグメント持続時間に基づいて複数の編集済みセグメントを形成するように構成された予め決められたカットフォーマットを少なくとも有する編集規則の少なくとも１つのテンプレートに従って前記特性データを処理し、編集命令データを形成する工程と、前記編集命令データに従って前記映像シーケンスを処理し、前記編集済みセグメントの編集済みシーケンスを形成する工程とを有することを特徴とする方法が提供される。
【手続補正３】
【補正対象書類名】明細書
【補正対象項目名】００１１
【補正方法】変更
【補正の内容】
【００１１】
本開示の他の態様によれば、複数の個々のクリップと、前記クリップが記録された実時間に関する時間データを少なくとも含む関連データとを有する映像シーケンスを編集する方法であって、各クリップに対する前記時間データを検査し、予め決められた時間関数で関連付け可能である前記クリップそれぞれを識別し、前記関連付け可能なクリップを対応するクリップのグループに配列する工程と、前記各クリップのグループの始まりと終わりの少なくとも１つをタイトルの場所として識別する工程と、少なくとも１つのタイトルの場所で、対応する時間データと更なるデータの少なくとも１つを検査し、少なくともテキスト成分を含む挿入タイトルを生成する工程と、前記タイトルの場所で前記挿入タイトルを前記映像シーケンスの中に組み込む工程とを有することを特徴とする方法が提供される。
【手続補正４】
【補正対象書類名】明細書
【補正対象項目名】００１２
【補正方法】削除
【補正の内容】